(57)【要約】【課題】魚以外の物体には引っかからず、魚だけを釣り上げることができる釣り針を提供する。【解決手段】釣り針（Ａ）は軸部（１）と針先（２）を持つ針本体（１４）に、針掛かり防止体（５）が、環（１３）とブラケット（１５）を連結し、支点（３）を支点に変位できるように設置され、この針掛かり防止体（５）は外力を受けない状態では弾性体（４）により針先（２）を隠すような位置に配置されていて、針先（２）に物体が引っかかることはほとんど無い。しかし魚が釣り針（Ａ）に食いつくという外力が加わった時には、針掛かり防止体（５）が弾性体（４）により弾性的に支点（３）を支点に変位し、針先（２）が露出し、針先（２）が魚に刺さる状態になり、魚を釣り上げることが出来る。また、魚が釣り針（Ａ）に食いつくという外力が加わらなくなった時には、針掛かり防止体（５）は弾性体（４）の力によって、針先（２）を隠すような位置に戻ることが出来る。【選択図】図１
2011193862.tif 000002
【特許請求の範囲】
【請求項１】
軸部および針先を備えた釣り針と、外力が加わらない通常時は、前記釣り針の針本体上の位置に支点を持ち、弾性体により弾性的に変位可能な状態で針先を隠すように配置された針掛かり防止体を有し、前記針掛かり防止体は魚が釣り針に食いつくという外力が加わることで針掛かり防止体が弾性的に変位し、針先が露出し、魚が釣り針にかかり、外力の影響が無くなった時には弾性体により針掛かり防止体が針先を隠す位置に戻ることを特徴とする釣り針である。
【請求項２】
請求項１に記載の針掛かり防止体を設け、この針掛かり防止体は針先を隠すように配置され、釣り針本と連続する位置に支点を持ち、弾性体により弾性的に変位可能な大きさの扁平形状または立体形状であることを特徴とする釣り針である。
【請求項３】
請求項１に記載の針掛かり防止体を設け、この針掛かり防止体は請求項２に記載の扁平形状、または立体形状であり、魚が興味を示し、本能的に食いついてしまう集魚体であることを特徴とする釣り針である。
【発明の詳細な説明】
【技術分野】
【０００１】  本発明は、釣り針の形状に関する。
【背景技術】
【０００２】  従来の釣り針は、軸部および針先を備え、魚を引っかけて釣り上げる構造である。【０００３】  また発展した構造として図５の釣り針（Ｂ）、図６の釣り針（Ｃ）ように、外力が加わらない通常時は釣り針の針先（８）を隠すワイヤー（７）を有し、魚が釣り針をくわえた時だけワイヤー（７）が針先（８）から外れ、針先（８）が露出し魚を釣り上げられるという釣り針がある。
【発明の概要】
【発明が解決しようとする課題】
【０００４】  しかしながら、以上の技術によれば、従来の釣り針では魚以外のものを釣り上げてしまうことや、いわゆる根掛かりにより釣り糸が切れ、釣り針を紛失してしまうことがあった。【０００５】  また図５の釣り針（Ｂ）、図６の釣り針（Ｃ）は魚以外のものには引っかからず、魚だけを釣り上げる釣り針とされているが、針先（８）を隠すワイヤー（７）は魚が釣り針（Ｂ）、釣り針（Ｃ）に食いつくという外力以外の外力でも針先（８）から外れてしまうことが多く、一度、針先（８）から外れ図７の釣り針（Ｂ２）、図８の釣り針（Ｃ２）様になると、その都度手でワイヤー（７）を釣り針の針先（８）に引っかける手間がかかっていた。【０００６】  また図５の釣り針（Ｂ）、図６の釣り針（Ｃ）は釣り針自体に魚が食いつきにくいため、なかなか魚を釣り上げることが出来ない。【０００７】  そこでこの発明は魚以外のものには引っかからず、魚だけをより効率的に釣り上げる釣り針を提供することを課題とする。
【課題を解決するための手段】
【０００８】  以上の課題を解決するために、第一発明は、軸部および針先を備えた釣り針と、外力が加わらない通常時は、前記釣り針の針本体上の位置に支点を持ち、弾性体により弾性的に変位可能な状態で針先を隠すように配置された針掛かり防止体を有し、前記針掛かり防止体は魚が釣り針に食いつくという外力が加わることで針掛かり防止体が弾性的に変位し、針先が露出し、魚が釣り針にかかり、外力の影響が無くなった時には弾性体により針掛かり防止体が針先を隠す位置に戻ることを特徴とする釣り針である。【０００９】  また第二発明は、第一発明の針掛かり防止体を設け、この針掛かり防止体は針先を隠すように配置され、釣り針本と連続する位置に支点を持ち、弾性体により弾性的に変位可能な大きさの扁平形状または立体形状であることを特徴とする釣り針である。【００１０】  また第三発明は、第一発明の針掛かり防止体を設け、この針掛かり防止体は第二発明の扁平形状、または立体形状であり、魚が興味を示し、本能的に食いついてしまう集魚体であることを特徴とする釣り針である。
【発明の効果】
【００１１】  第一発明によれば、釣り針が魚以外のものには引っかからず、釣り針に食いついた魚だけを釣り上げることが出来、外力により釣り針の針先から針掛かり防止体が弾性的に変位しても、弾性体によりもとの釣り針の針先を隠す位置に戻り、針掛かり防止体を釣り針の針先に戻すという、よけいな手間がかからなくなる。【００１２】  また第二発明によれば、第一発明の釣り針に、針掛かり防止体を扁平形状または立体形状にすることで、魚以外の外力で釣り針の針先から針掛かり防止体が外れることを防止し、魚による外力により釣り針の針先から針掛かり防止体が弾性的に変位しても、弾性体によりもとの釣り針の針先を隠す位置に戻り、針掛かり防止体を釣り針の針先に戻すという、よけいな手間がかからなくなる。【００１３】  また第三発明によれば、第一発明および、第二発明の釣り針の針掛かり防止体を魚が興味を示し、本能的に食いついてしまう集魚体にすることにより、さらに効率的に魚以外のものには引っかからず、釣り針に食いついた魚だけを釣り上げることが出来る。
【図面の簡単な説明】
【図１】この発明の一実施形態で外力が加わらない状態を示す釣り針の側面図である。
【図２】この発明の一実施形態で外力が加わらない状態を示す釣り針の斜視図である。
【図３】この発明の一実施形態で魚が食いついた外力が加わった状態を示す釣り針の側面図である。
【図４】この発明の一実施形態で魚が食いついた外力が加わった状態を示す釣り針の斜視図である。
【図５】従来例の釣り針の実施形態で１本針の通常時を示す斜視図である。
【図６】従来例の釣り針の実施形態で２本針の通常時を示す斜視図である。
【図７】従来例の釣り針の実施形態で１本針のワイヤーが外れた状態を示す斜視図である。
【図８】従来例の釣り針の実施形態で２本針のワイヤーが外れた状態を示す斜視図である。
【図９】この発明の一実施形態の他の実施形態を示す斜視図である。
【発明を実施するための形態】
【実施例】
【００１４】  この発明の一実施形態の釣り針（Ａ）を図１、図２、図３、図４に示す。釣り針（Ａ）は軸部（１）と針先（２）を持つ針本体（１４）と、針本体（１４）の環（１３）と針本体（１４）上の位置に支点（３）で、針掛かり防止体（５）の一部であるブラケット（１５）と支点（３）を支点に、軸状に回転する形で設置された針掛かり防止体性体（５）を有し、この針掛かり防止体（５）は弾性体（４）により力を受けている。また、リング（６）は針掛かり防止体（５）上の穴（１１）に連結されており、リング（６）の先にはスイベル（図示せず）や釣り糸（図示せず）や疑似餌（図示せず）等に連結して使用する。図１、図２のように外力が加わらない通常時はこの針掛かり防止体（５）は弾性体（４）の力により針先（２）を隠すように配置されている。【００１５】  この図１、図２の状態では針先（２）に物体が引っかかることはほとんど無い。しかし魚が釣り針（Ａ）に食いつくという外力が加わった時には、図３、図４のように針掛かり防止体（５）が弾性体（４）により弾性的に支点（３）を支点に変位し、針先（２）が露出し、針先（２）が魚に刺さる状態になり、魚を釣り上げることが出来る。また、魚が釣り針（Ａ）に食いつくという外力が加わらなくなった時には、針掛かり防止体（５）は弾性体（４）の力によって、針先（２）を隠すような位置に戻ることが出来る。【００１６】  またこの針掛かり防止体（５）は、集魚体（光を反射する材質や、色付の材質等）にすることも可能であり、針掛かり防止体（５）を集魚体にすることでさらに魚が釣り針（Ａ）に食いつきやすくなり、より効率的に魚を釣り上げることが出来る。【００１７】  また、前記実施例では針掛かり防止体（５）は仮に図１、図２、図３、図４に示す形状で金属板を使用する例としている。しかし、この針掛かり防止体（５）を、長さ（Ｌ２）を、間長さ（Ｌ）〜１０×（Ｌ）。巾（Ｗ２）を、太さ（ｄ）〜５０×（ｄ）。厚み（ｄ２）を、（Ｌ）以内とする範囲内の大きさであればいかなる形状（ハート型、ダイヤ型、クローバー型、また形状に凹凸を付けたもの、穴加工を施したもの等）でも適用できる。また材質に関しても上記範囲内の大きさであればいかなる材質（金属板、木材、樹脂、エラストマー等）でも適用できる。【００１８】  また、前記実施例ではリング（６）を仮に図１、図２、図３、図４に示すように明記しているが、このリング（６）を使用せずに穴（１１）に直接スイベル（図示せず）や釣り糸（図示せず）や疑似餌（図示せず）等に連結して使用することも可能であり、スイベル（図示せず）や釣り糸（図示せず）や疑似餌（図示せず）等に連結するのは、環（１３）等、本発明の効力が適切に機能する位置であればどこであっても適用できる。【００１９】  また、前記実施例では針先（２）は仮に図１、図２、図３、図４に示すように１本針でカエシの無い形状としているが、図７の釣り針（Ｂ２）、図８の釣り針（Ｃ２）のように、カエシ付き針先（８）でもかまわず、また１本針に限定せず、１つの釣り針に複数本の針先を持つ釣り針（２本針、３本針、４本針等）でも適用できる。【００２０】  また、前記実施例では弾性体（４）を仮に図１、図２、図３、図４に示すような形状にしているが、（巻き加工をしたコイルスプリング形状、ゴム素材等）本発明の効力が適切に機能する弾性体であればいかなる素材、形状でも適用できる。また設置位置に関しても限定されるものではない。【００２１】  また、本発明は釣り針（Ａ）を単独で擬餌針としての使用も可能で、錘を付けた形式の釣り針（カブラ針、ジグヘッド等）、軽量な釣り針（フライフィッシング用の釣り針等）、浮き釣り用の釣り針（エサ釣り用の釣り針等）釣りに関わるすべての釣り針に適用できるものとする。【００２２】  図９は本発明の他の実施例を示す。釣り針（Ｄ）の構成を順に説明する。軸部（１ａ）と針先（２ａ）を持つ針本体（１４ａ）は、図５、図７の釣り針本体から伸びる環（９）と同様な形態の環（１３ａ）を持ち、環（１３ａ）は針掛かり防止体（５ａ）上の穴（１１ａ）と共にリング（６ａ）により連結されている。この連結部は前期実施例の支点（３）と同様の効果を持つ支点（３ａ）となり、弾性体（４ａ）は針掛かり防止体（５ａ）に開けられた通し穴（１２）を通り、軸部（１ａ）に引っかける形で設置されている。また針掛かり防止体（５ａ）の針先（２ａ）との接点は（ｂ−ｂ’断面）のように凹凸、切り込み加工がされている。このように釣り針（Ｄ）は前記実施例の釣り針（Ａ）と構成は異なっているが、本発明の効力は同じである。【００２３】  図９の他の実施例のように、針掛かり防止体（５ａ）は前記実施例の針掛かり防止体（５）のようにブラケット（１５）を有していない。また穴（１２）の様に穴加工がされたり、（ｂ−ｂ’断面）のように凹凸をつけたり、切り込みを入れたりしている。前記もしているが、このように針掛かり防止体（５）の形状はいかなる形状でも適用できる。【００２４】  図９の他の実施例のように、支点（３ａ）は前記実施例の支点（３）のように軸状に固定され、軸を中心に回転運動をする方向だけに限定して可動する必要はなく、支点（３ａ）のようにあらゆる方向に動くことのできる支点であってかまわない。また、支点（３）及び支点（３ａ）で支点の位置が異なるように、支点の位置も釣り針の針本体と連続しているいかなる位置でも適用できる。【００２５】  図９の他の実施例のように、弾性体（４ａ）は針掛かり防止体（５ａ）に開けられた通し穴（１２）を通り、軸部（１ａ）に引っかける形で設置されていて、固定（ロウ付け、溶接、接着等）がされているわけではない。もちろんこの状態を強固に保つように固定（ロウ付け、溶接、接着等）してもかまわないが、固定、非固定、どちらでも適用できるものとする。【００２６】  図９の他の実施例のように、針本体（１４ａ）は前期実施例の（１４）とは形状が異なっている。このように、軸部（１）と針先（２）、（８）を持つものであれば、針本体（１４）、（１４ａ）の形状はいかなる形状であっても適用できる。
【符号の説明】１軸部
２針先
３支点
４弾性体
５針掛かり防止体
６リング
７ワイヤー
８カエシ付き針先
９環
１１針掛かり防止体上の穴
１２通し穴
１３環
１４針本体
１５ブラケット
Ａ本発明の一実施例の釣り針
Ｂ従来例の１本針の釣り針
Ｃ従来例の２本針の釣り針
Ｂ２従来例のワイヤーの外れた１本針の釣り針
Ｃ２従来例のワイヤーの外れた２本針の釣り針
Ｄ本発明の一実施形態の他の実施例の釣り針
１ａ軸部
２ａ針先
３ａ支点
４ａ弾性体
５ａ針掛かり防止体
６ａリング
１１ａ針掛かり防止体上の穴
１３ａ環
１４ａ針本体
Ｌ軸部と針先の距離
ｄ軸部の太さ
Ｌ２針掛かり防止体の長さ
Ｗ２針掛かり防止体の巾
ｄ２針掛かり防止体の厚み
ｂ−ｂ’断面
【図１】
2011193862.tif 000003
【図２】
2011193862.tif 000004
【図３】
2011193862.tif 000005
【図４】
2011193862.tif 000006
【図５】
2011193862.tif 000007
【図６】
2011193862.tif 000008
【図７】
2011193862.tif 000009
【図８】
2011193862.tif 000010
【図９】
2011193862.tif 000011